(57)【要約】【課題】  本考案は、主に従来の収納ラックの方形立架管と一体式層架との結合構造が収納ラックを両側方向に延長させる時、上記一体式層架の高さを同じにしたまま平行に延長することのできる収納ラックの方形立架管と一体式層架との組み合わせ構造を提供することを目的とする。【解決手段】  一体式層架２０の結合部は１つの凹形板とし、凹形板の方形立架管１０と嵌合できる構造にして、組み立てる収納ラックの上記方形立架管１０は両側方向に一体式層架２０を同じ高さで延長連結できる構成とした。【選択図】  図２
0003103436.tif 000002
【実用新案登録請求の範囲】
【請求項１】
主に収納ラックの各コーナーに設置される方形立架管と、上下に間隔をおいて各上記方形立架管の内側に設置される一体式層架とを含み、各上記方形立架管は間隔をおいて排列される複数のネジ穴を有し、各上記一体式層架は、各角に各上記ネジ穴に固定設置される為の貫通溝を具備する結合部を有し、各上記ネジ穴と各上記貫通溝はそれぞれが相対する位置で、ボルトにより固定設置される構造で、
上記一体式層架の結合部は１つの凹形板で、上記凹形板は１つの縦面と２つの横面を具備し、上記貫通溝を上記縦面上に有し、上記貫通溝は上記縦面底端より上方向に伸びる細長い形状で、
上記縦面は上記方形立架管の上記ネジ穴を有する第一立面と相対し、２つの上記横面は上記方形立架管の２つの相対する第二立面の半分と相対し、即ち、１つの上記縦面と２つの上記横面で構成される１つの上記結合部の断面形状は上記方形立架管の１つの側と凹形状にちょうど嵌合できる形状をなし、
収納ラックの上記方形立架管から両側方向に一体式層架を同じ高さで延長連結でき、且つ、安定固定した連結構造を提供することができることを特徴とする収納ラックの方形立架管と一体式層架との組み合わせ構造。
【請求項２】
上記貫通溝は、一種の円形孔であることを特徴とする請求項１記載の収納ラックの方形立架管と一体式層架との組み合わせ構造。
【考案の詳細な説明】
【技術分野】
【０００１】
本考案は、収納ラックの方形立架管と一体式層架との組み合わせ構造に係り、特に、一種の方形立架管と一体式層架との組み合わせた収納ラックの方形立架管と一体式層架との組み合わせ構造に関する。
【背景技術】
【０００２】
消費者の多元化の要求により、業者は色々な構造形態の収納ラックを開発しており、組み合わせ式収納ラックについても、各部の組み合わせ様式も数多くあり、例えば、支柱及び層架体の形式も多元化しており、市場では現在も尚構造形態は常に変化している状態である。
【考案の開示】
【考案が解決しようとする課題】
【０００３】
しかしながら、現在市場で流通している従来の収納ラックの立架管と層架体との組み合わせ固定方式は、層架体が各コーナーに具備する環状の結合部を管状の立架管に上下方向より嵌入させることにより、結合させている。そのため、この組み合わせ方式では、収納ラックを両側方向に延長させる時、層架体の高さを同じ高さに保ちながら、延長させることは不可能であるという問題があった。そのため、各層架体が段違いの高さで設置される組み合わせ方式にしなければならないという問題があった。
【０００４】
従って、本考案は、主に従来の収納ラックの方形立架管と一体式層架との結合構造が収納ラックを両側方向に延長させる時、上記一体式層架の高さを同じにしたまま平行に延長することのできる収納ラックの方形立架管と一体式層架との組み合わせ構造を提供することを目的とする。
【課題を解決するための手段】
【０００５】
上記課題を解決するために本考案では、次に述べる各手段を講じたことを特徴とするものである。
【０００６】
請求項１に記載の考案では、主に収納ラックの各コーナーに設置される方形立架管と上下に間隔をおいて各上記方形立架管の内側に設置される一体式層架とを含み、各上記方形立架管は間隔をおいて排列される複数のネジ穴を有し、各上記一体式層架は、各角に各上記ネジ穴に固定設置される為の貫通溝を具備する結合部を有し、各上記ネジ穴と各上記貫通溝はそれぞれが相対する位置で、ボルトにより固定設置される構造で、本考案の主な特徴は、上記一体式層架の上記結合部は１つの凹形板で、上記凹形板は１つの縦面と２つの横面を具備し、上記貫通溝を上記縦面上に有し、上記貫通溝は上記縦面底端より上方向に伸びる細長い形状で、１つの上記縦面と２つの上記横面で構成される１つの上記結合部の断面形状は上記方形立架管の１つの側と凹形状にちょうど嵌合できる形状をなし、上記構造により組み立てる収納ラックの上記方形立架管と上記一体式層架との組み合わせ構造は、収納ラックの上記方形立架管から両側方向に上記一体式層架を同じ高さで延長連結でき、且つ、安定固定した連結構造を提供することができる。
【０００７】
請求項２に記載の考案では、貫通溝は、一種の円形孔のものを用いることができる。
【考案を実施するための最良の形態】
【０００８】
以下に添付図面を参照して、本考案の実施例を説明する。
【０００９】
図１は、本考案の改良部分の組み合わせ立体図であり、図２は、本考案の改良部分の分解立体図であり、図３は、本考案の改良部分の俯瞰断面図である。また、図４は、本考案の収納ラック延長連結の平面俯瞰図であり、図５は、本考案の収納ラック延長連結の平面正面図であり、図６は、本考案の収納ラック延長連結の結合部分の俯瞰断面図であり、図７は、本考案の組み合わせ立体図である。
【００１０】
図１乃至図７を参照して、本考案の一種の収納ラックの方形立架管１０と一体式層架２０との組み合わせ構造の好適な実施例について説明する。
【００１１】
主に収納ラックの各コーナーに設置される方形立架管１０と上下に間隔をおいて各上記方形立架管１０の内側に設置される一体式層架２０とを含み、各上記方形立架管１０は間隔をおいて排列される複数のネジ穴１１を有し、各上記一体式層架２０は各角に各上記ネジ穴１１に固定設置される為の貫通溝２１を具備する結合部を有し、各上記ネジ穴１１と各上記貫通溝２１はそれぞれが相対する位置で、ボルト３０により固定設置される構造である。
【００１２】
本考案の主な特徴は、上記一体式層架２０の結合部は１つの凹形板４０で、上記凹形板４０は１つの縦面４１と２つの横面４２を具備し、上記貫通溝２１を上記縦面４１上に有し、上記貫通溝２１は上記縦面４１の底端より上方向に伸びる細長い形状で、上記縦面４１は、上記方形立架管１０の上記ネジ穴１１を有する第一立面１０１と相対し、２つの上記横面４２は、上記方形立架管１０の２つの相対する第二立面１０２の半分と相対し、即ち、１つの上記縦面４１と２つの上記横面４２で構成される１つの上記結合部の断面形状は上記方形立架管１０の１つの側と凹形状にちょうど嵌合できる形状をなし、上記構造により組み立てる収納ラックの上記方形立架管１０と上記一体式層架２０との組み合わせ構造は、収納ラックの上記方形立架管１０から両側方向に一体式層架２０を同じ高さで延長連結でき、且つ、安定固定した連結構造を提供することができる。
【００１３】
図８は、本考案の貫通溝のもう１つの形状の実施例図である。図８が示す如く、貫通溝２１Ｂは一種の円形孔であってもよい。
【００１４】
以上説明したような構成とすることで、上記一体式層架２０の各上記凹形板４０をそれぞれ上記方形立架管１０上にボルト３０により固定することにより、組み立てることができ、上記単一ラックの片側或は両側方向に延長する時、図４乃至７が示す如く、延長する一体式層架２０Ｂの凹形板４０を上記方形立架管１０の第一立面１０１と反対側の外接面１０３にボルト３０により固定することにより設置でき、この延長結合構造は、隣接する２つの上記一体式層架２０，２０Ｂの高さを同じ高さのまま平行に結合できる（図５及び図７）構造で、上記一体式層架２０，２０Ｂの上記方形立架管１０と結合する部分に上記方形立架管１０の方形の形状と嵌合できる凹形状をなす上記凹形板４０を採用することにより、しっかりと嵌合でき安定固定効果のある構造を提供することができる。
【図面の簡単な説明】
【００１５】
【図１】本考案の改良部分の組み合わせ立体図である。
【図２】本考案の改良部分の分解立体図である。
【図３】本考案の改良部分の俯瞰断面図である。
【図４】本考案の収納ラック延長連結の平面俯瞰図である。
【図５】本考案の収納ラック延長連結の平面正面図である。
【図６】本考案の収納ラック延長連結の結合部分の俯瞰断面図である。
【図７】本考案の組み合わせ立体図である。
【図８】本考案の貫通溝のもう１つの形状の実施例図である。
【符号の説明】
【００１６】
１０  方形立架管
１０１  第一立面
１０２  第二立面
１０３  外接面
１１  ネジ穴
２０，２０Ｂ  一体式層架
２１，２１Ｂ  貫通溝
３０  ボルト
４０  凹形板
４１  縦面
４２  横面
【図１】
0003103436.tif 000003
【図２】
0003103436.tif 000004
【図３】
0003103436.tif 000005
【図４】
0003103436.tif 000006
【図５】
0003103436.tif 000007
【図６】
0003103436.tif 000008
【図７】
0003103436.tif 000009
【図８】
0003103436.tif 000010